(57)【要約】【課題】金属補強板を打抜きまたは曲げにより保持金具を金属補強板と一体成形することにより、額縁部の成形が簡単になり、面倒な手間と多くの時間が省略され作業能率が高まり、製作コストも低廉になし得る弾球遊技機の透明板保持枠を提供する。【解決手段】遊技盤４を覆うようにして弾球遊技機Ｐの前面一側に軸着されると共に中央開口部１５を有し額縁状に成形される額縁部１６と該中央開口部１５の裏側に配置され該中央開口部１５を覆うガラス扉枠１７とを備え、前記額縁部１６は装飾枠材１８と該装飾枠材１８の裏面に重合され前記ガラス扉枠１７を保持する保持金具２３が設けられた金属補強板１９とからなる透明板保持枠５であって、前記保持金具２３は前記金属補強板１９に該金属補強板１９を打抜きまたは折曲げることにより一体成形するようにして設けられた構成からなる。【選択図】  図２
2005000538.tif 000002
【特許請求の範囲】
【請求項１】
遊技盤を覆うようにして弾球遊技機の前面一側に軸着されると共に中央開口部を有し額縁状に成形される額縁部と該中央開口部の裏側に配置され該中央開口部を覆うガラス扉枠とを備え、前記額縁部は装飾枠材と該装飾枠材の裏面に重合され前記ガラス扉枠を保持する保持金具が設けられた金属補強板とからなる透明板保持枠であって、前記保持金具は前記金属補強板に該金属補強板を打抜きまたは折曲げることにより一体成形するようにして設けられたことを特徴とする弾球遊技機の透明板保持枠。
【発明の詳細な説明】
【０００１】
【発明の属する技術分野】
本発明は、遊技盤の遊技部を覆うようにして弾球遊技機の前面に装着される透明板保持枠に関するものである。
【０００２】
【従来の技術】
従来、例えば弾球遊技機であるパチンコ遊技機の透明板保持枠には次のようなものがある。この透明板保持枠すなわち表枠は、中央開口部を有し額縁状に成形される額縁部とこの裏面側に配置され該中央開口部を覆うガラス扉枠とからなる。額縁部は金属板をプレス等して形成され、また、その裏面に金属製の取付座が複数溶接固定されており、これら取付座にガラス扉枠を取り付けるための取付金具を螺子止めするようにしている（特許文献１参照。）。
【０００３】
【特許文献１】
特開２００２−１６６００７号公報（第２−３頁、図４）
【０００４】
【発明が解決しようとする課題】
しかしながら、前記特許文献１に記載された表枠では、金属製の額縁部に同じく金属製の複数の取付座を逐一溶接固定し、更に各取付座にガラス扉枠を取り付けるための取付金具を螺子止めし、この取付金具によりガラス扉枠を取付固定するようにしているので、取付金具の取り付けに溶接または螺子止めといった面倒な手間と多くの時間が掛かっており、作業能率が悪いばりか表枠の製作コストを高める一要因になっているという課題があった。
【０００５】
そこで、本発明は上記課題を解決すべくなされたもので、金属補強板の打抜きまたは曲げにより保持金具を金属補強板と一体成形することにより、額縁部の成形が極めて簡単になり、面倒な手間と多くの時間が省略され作業能率が高まるばかりか製作コストも低廉になし得る弾球遊技機の透明板保持枠を提供することを目的とするものである。
【０００６】
かかる目的を達成するため本発明に係る弾球遊技機の透明板保持枠は、遊技盤を覆うようにして弾球遊技機の前面一側に軸着されると共に中央開口部を有し額縁状に成形される額縁部と該中央開口部の裏側に配置され該中央開口部を覆うガラス扉枠とを備え、前記額縁部は装飾枠材と該装飾枠材の裏面に重合され前記ガラス扉枠を保持する保持金具が設けられた金属補強板とからなる透明板保持枠であって、前記保持金具は前記金属補強板に該金属補強板を打抜きまたは折曲げることにより一体成形するようにして設けられた構成からなる。
【０００７】
このように、金属補強板を打抜きまたは折曲げるのみで保持金具を該金属補強板に一体成形により成形できるようにしていることから、額縁部の成形が簡単になって作業能率が向上し、これにより透明板保持枠の製作コストを低廉になし得る。更に、前記弾球遊技機に軸着するための軸着部や透明板保持枠が開かないように施錠するための係止部材も同様に金属補強板と一体成形できる。これにより、全く溶接、螺子止めを必要とせずに金属補強板を打抜きまたは折曲げするのみで保持金具、軸着部といった金属補強板の周辺部材すべてを一体成形により設けられることとなり、作業能率が格段に向上するばかりか製作コストも低廉になし得る。
【０００８】
また、前記係止部材は、金属補強板に該金属補強板を打抜きまたは折曲げるのみで簡単に成形されることから、その位置も自由に変更できる。よって、例えば係止部材が係脱自在に係合するフック部材を備えた施錠装置の取付位置が異なっている他の弾球遊技機であっても十分に対処でき使用範囲が広い。
【０００９】
【発明の実施の形態】
以下、本発明に係る弾球遊技機の透明板保持枠の実施の形態を図面と共に説明する。なお、弾球遊技機にはパチンコ遊技機、アレンジボール機、雀球があるが、その一例としてパチンコ遊技機について説明する。図１は本発明が適用されるパチンコ遊技機の正面図である。図において１は機枠、２は該機枠１の前面一側に開閉可能に軸着される前面枠であり、この前面枠２に開口３が開設され、その裏側に遊技盤４が前記開口３にその遊技部４ａが臨むようにして配置される。前面枠２の前面には前記遊技盤４の遊技部４ａを覆うようにして透明板保持枠５が軸着され、その下方に同じく軸着される前面板６が配置される。前面板６の前面に打球発射部（図示せず。）にパチンコ球を供給するための打球供給皿７が装着されている。また、前面枠２の下部前面には打球供給皿７から溢れるパチンコ球を貯留する余剰球受皿８が装着されると共にその一側に操作ハンドル９が設けられている。
【００１０】
前記遊技盤４の前面に、遊技部４ａを囲うように内側ガイドレール１０ａと外側ガイドレール１０ｂとが渦巻き状に配設される。前記遊技部４ａには、そのほぼ中央に表示部１１ａを備えた可変表示装置１１が配置され、また、その下方に弾球であるパチンコ球の入賞により前記表示部１１ａの文字、数字、図形等の表示を変動表示させる始動入賞口１２が配置される。更に、その下方に位置して前記変動した表示が一定の時間経過後に停止して特定の表示を示し、遊技者にとって有利な特別遊技状態になったとき、一定の条件の下で開閉扉１３ａを所定回数開成させ一度に多くの入賞球が得られる入賞装置１３が配置される。また、１４，１４はその両側に配設される一般入賞口である。
【００１１】
透明板保持枠５は、その横幅が前面枠２の横幅と同じ寸法に設定され、図２に示すように中央に中央開口部１５を有する額縁部１６とその裏側に配設され中央開口部１５を塞ぐガラス扉枠１７とから構成される。更に詳しく説明すると、額縁部１６は、透光性の合成樹脂材によって前面が所望の形状に成形される装飾枠材１８とその裏面に重合される金属補強板１９とからなる。装飾枠材１８は、裏側が開放され上辺両側に発光ダイオードを設けた配線基板２０が取着され、発光ダイオードが点灯することにより電飾効果が発揮できるようになっている。また、裏面の所定位置には金属補強板１９をビス止めするため螺子孔２２を有するボス２１が複数個突設されている。
【００１２】
金属補強板１９は、額縁部１６の裏側に隠れるようにして配置される大きさを有し、図３、図４（イ）に示すように該金属補強板１９の裏側であってほぼ方形状をなす中央開口部１５の両側縁１５ａ，１５ａと下側縁１５ｂとに沿ってガラス扉枠１７を上から落とし込み嵌め込んで保持させる保持金具２３が設けられる。この保持金具２３は金属補強板１９を打抜きまたは折曲げることにより中央開口部１５を囲うようにしてコ字状に一体成形される。すなわち、各側縁１５ａ，１５ｂに沿って後方へ突出しかつ金属補強板１９の裏面に対しほぼ直角をなす複数の支持片２４が列設されている。各支持片２４には、金属補強板１９の裏面から最も近い位置、中間の位置、最も遠い位置の三段階に分かれて支持片２４とほぼ直角をなしかつ同じく内側へ折れ曲る第１折り曲げ片２５ａ、第２折り曲げ片２５ｂ、第３折り曲げ片２５ｃが設けられている。これにより、図４（ロ）に示すように金属補強板１９の裏面と第１折り曲げ片２５ａとの間及び第２折り曲げ片２５ｂと第３折り曲げ片２５ｃとの間が取付溝２６，２６になる。
【００１３】
金属補強板１９の一側上下部に、同様にして該金属補強板１９を打抜きまたは折曲げることにより軸着部２７ａ，２７ｂが一体に成形されている。上部の軸着部２７ａは、金属補強板１９の前面に対しほぼ直角をなす支軸片２８が前方ヘほぼ鉛直に突設され、その先端部に上下端面が開放されるほぼ鉛直な軸筒２９が一体に設けられている。一方、下部の軸着部２７ｂは、金属補強板１９の前面に対しほぼ直角をなす支軸片３０が前方ヘほぼ水平に突設され、その先端部に前記軸筒２９と一直線上に並ぶ軸孔３１が開設されている。
【００１４】
金属補強板１９の左右両側縁には、金属補強板１９を打抜きまたは折曲げることにより、長手方向に沿って後方へ折れ曲る不正防止片３２，３３が設けられている。これにより透明板保持枠５の左右側からピアノ線などの細い線材を差し込み、その先端部を透明板保持枠５内を介して遊技盤４面に這わして故意に入賞球を発生させるという不正行為を防止するようにしている。
【００１５】
前記一方の不正防止片３３には、その上下部の先端部にそれぞれ金属補強板１９を打抜きまたは折曲げることにより、金属補強板１９の後面から所定の間隔離しかつ該金属補強板１９の後面と平行をなす係止部材３４，３４が一体に成形されている。これは、透明板保持枠５が開閉自在に軸着されることから、前面枠２側へ回動して透明板保持枠５を閉めた場合、その状態をロックするためのもので、図示は省略するがこれと対向する前面枠２側にはフック部材を備えた施錠装置が装着され、前記各係止部材３４がフック部材に係脱自在に係止できるようになっている。金属補強板１９の所定の位置には前記各ボス２１の螺子孔２２に対応位置してビス挿通孔３５が開設されている。
【００１６】
ガラス扉枠１７は、図２に示すように方形状の縁枠３６の前後面にほぼ同じ大きさをなす方形状の２枚の透明板３７を所定の間隔離し平行に配置して成形される。また、縁枠３６の外周面にはその長手方向に沿った両側にそれぞれ平行な２本の突条３８が設けられ、この両突条３８，３８が前記保持金具２３の各取付溝２６，２６に嵌入することになる。前記透明板３７は、ガラス板または合成樹脂板が選ばれる。
【００１７】
そして、装飾枠材１８の後側に金属補強板１９を配置すると共に各ビス挿通孔３５を介して各ボス２１の螺子孔２２にビス３９を螺合させて金属補強板１９を装飾枠材１８に固着する。更に、金属補強板１９の裏側に設けた保持金具２３の両取付溝２６，２６に各辺の両突条３８，３８を上から嵌入させてガラス扉枠１７を取り付ける。このようにして、組み立てられた透明板保持枠５は、パチンコ遊技機Ｐの前面枠２の前面に配置し、上部の支軸片２８の軸筒２９や下部の支軸片３０の軸孔３１に前面枠２側の支軸（図示せず。）を挿通して開閉自在に軸着される。
【００１８】
図５（イ）（ロ）は他の実施の形態に係る保持金具を示すものである。この保持金具２３ａも金属補強板１９の裏側であってほぼ方形状をなす中央開口部１５の両側縁１５ａ，１５ａと下側縁１５ｂに沿って設けられる。すなわち、各側縁１５ａ，１５ａ，１５ｂに金属補強板１９の裏面に対してほぼ直角に後方へ折れ曲る溝板４０が設けられる。この溝板４０は各側縁１５ａ，１５ａ，１５ｂの長さよりも少し短く成形されている。そして、打抜きまたは折曲げにより、各溝板４０にその長手方向に沿って金属補強板１９の裏面から最も近い位置、中間の位置、最も遠い位置の三段階に分かれて溝板４０とほぼ直角をなしかつ同じく内側へ折れ曲る第１折り曲げ片４１ａ、第２折り曲げ片４１ｂ、第３折り曲げ片４１ｃが設けられる。第１折り曲げ片４１ａと第２折り曲げ片４１ｂは互いに隣接すると共に一定の間隔離して複数列設されるが、第３折り曲げ片４１ｃは全体で一枚になっている。これにより、図５（ロ）に示すように金属補強板１９の裏面と第１折り曲げ片４１ａとの間及び第２折り曲げ片４１ｂと第３折り曲げ片４１ｃとの間が取付溝２６，２６になる。
【００１９】
図６（イ）（ロ）も他の実施の形態に係る保持金具を示すものである。また、この保持金具２３ｂも金属補強板１９の裏側であってほぼ方形状をなす中央開口部１５の両側縁１５ａ，１５ａと下側縁１５ｂに沿って設けられる。すなわち、各側縁１５ａ，１５ａ，１５ｂに金属補強板１９の裏面に対してほぼ直角に後方へ折れ曲る溝板４２が設けられる。この溝板４２は各側縁１５ａ，１５ａ，１５ｂの長さよりも少し短く成形されている。そして、打抜きまたは折曲げにより、各溝板４２にその長手方向に沿って金属補強板１９の裏面から最も近い位置、中間の位置、最も遠い位置の三段階に分かれて溝板４２とほぼ直角をなしかつ同じく内側へ折れ曲る第１折り曲げ片４３ａ、第２折り曲げ片４３ｂ、第３折り曲げ片４３ｃが設けられる。第１折り曲げ片４３ａと第２折り曲げ片４３ｂは互いに千鳥足状に配置されると共に一定の間隔離して複数列設されるが、第３折り曲げ片４３ｃは全体で一枚になっている。これにより、金属補強板１９の裏面と第１折り曲げ片４３ａとの間及び第２折り曲げ片４３ｂと第３折り曲げ片４３ｃとの間が取付溝２６，２６になる。
なお、保持金具２３，２３ａ，２３ｂは前記構成に限るものではなく、他の構成であっても良いこと勿論である。
【００２０】
このように、本発明はガラス扉枠１７を取り付けるための保持金具２３，２３ａ，２３ｂを金属補強板１９を打抜きまたは折曲げることにより一体成形するようにしたので、保持金具２３，２３ａ，２３ｂを取付けるに溶接や螺子止めが一切不要になる。また、他の軸着部２７ａ，２７ｂや係止部材３４までもが打抜きまたは折曲げることにより一体成形されるので、金属補強板１９に設けられる保持金具２３，２３ａ，２３ｂ、軸着部２７ａ，２７ｂなどの周辺部材がすべて金属補強板１９を打抜きまたは折曲げることにより一体成形できることになり、作業能率が格段に向上するばかりか透明板保持枠の製作コストも低廉になし得る。
【００２１】
【発明の効果】
以上、説明したように本発明に係る弾球遊技機の透明板保持枠は、金属補強板を打抜きまたは折曲げるのみで保持金具を該金属補強板に一体成形により成形できるようにしていることから、額縁部の成形が簡単になって作業能率が向上し、これにより透明板保持枠の製作コストを低廉になし得るという効果がある。
【図面の簡単な説明】
【図１】本発明が適用されるパチンコ遊技機の正面図。
【図２】透明板保持枠の後から見た分解斜視図。
【図３】金属補強板の後から見た斜視図。
【図４】（イ）保持金具部位の拡大斜視図。
（ロ）（イ）のＸ−Ｘ線断面図。
【図５】（イ）他の保持金具部位の拡大斜視図。
（ロ）（イ）のＹ−Ｙ線断面図。
【図６】（イ）他の保持金具部位の拡大斜視図。
（ロ）（イ）のＺ−Ｚ線断面図。
【符号の説明】
４                      遊技盤
５                      透明板保持枠
１５                    中央開口部
１６                    額縁部
１７                    ガラス扉枠
１８                    装飾枠材
１９                    金属補強板
２３，２３ａ，２３ｂ    保持金具
Ｐ                      弾球遊技機（パチンコ遊技機）
【図１】
2005000538.tif 000003
【図２】
2005000538.tif 000004
【図３】
2005000538.tif 000005
【図４】
2005000538.tif 000006
【図５】
2005000538.tif 000007
【図６】
2005000538.tif 000008